(57)【要約】【課題】  自分の健康状態に合った健康促進プログラムの情報を利用者が容易に知ることができ、且、提供側も必要としている利用者に健康促進プログラムの情報を効率的に提供できるようにすること。【解決手段】  利用者ＩＤと健康状態データとを対応付けて記憶する診療履歴テーブル及び／または検査履歴テーブルと、利用者ＩＤと利用者への送付先情報とを対応付けて記憶する利用者テーブルと、プログラムＩＤと情報の提供対象とする利用者の健康状態データに関する条件とを対応付けて記憶する健康促進プログラム特定テーブルと、抽出対象とする健康状態データに関する条件を特定する抽出条件特定処理と、健康状態データに関する条件に基づいて利用者ＩＤを抽出する情報提供者抽出処理と、利用者ＩＤに基づいて送付先を特定する送付先特定処理と、健康促進プログラムの情報を送付するための案内情報送付処理とを行う処理手段２０１と、を備える。【選択図】  図１
2006215662.tif 000002
【特許請求の範囲】
【請求項１】
提供対象者である利用者に対して、該利用者の健康状態に合った健康促進プログラムの情報を提供するための健康促進プログラム情報提供装置であって、
利用者を特定可能な利用者ＩＤと、利用者に対する医療機関の診療結果を示す診療データ及び／または利用者に対する医学的検査の検査結果を示す検査データとを含む健康状態データとを対応付けて記憶するための健康状態データ記憶手段と、
前記利用者ＩＤと、当該利用者ＩＤから特定される利用者への通知を送付するための送付先情報とを対応付けて記憶するための利用者データ記憶手段と、
複数の前記健康促進プログラムを個々に特定可能な健康促進プログラムＩＤと、当該健康促進プログラムＩＤから特定される健康促進プログラムの情報の提供対象とする利用者の前記健康状態データに関する条件とを対応付けて記憶するための提供条件データ記憶手段と、
前記提供条件データ記憶手段に抽出対象とする健康促進プログラムの健康促進プログラムＩＤに対応付けて記憶されている前記健康状態データに関する条件を特定する抽出条件特定処理と、該抽出条件特定処理にて特定した条件に適合する健康状態データに対応付けて前記健康状態データ記憶手段に記憶されている利用者ＩＤを抽出する情報提供者抽出処理と、該情報提供者抽出処理にて抽出した利用者ＩＤに対応付けて前記利用者データ記憶手段に記憶されている送付先情報に基づいて、該利用者ＩＤから特定される利用者への通知を送付するための送付先を特定する送付先特定処理と、該特定した送付先に対して、前記情報提供者抽出処理にて抽出対象とした健康促進プログラムの情報を送付するための案内情報送付処理と、を行う処理手段と、
を備えることを特徴とする健康促進プログラム情報提供装置。
【請求項２】
コンピュータネットワークを介して接続された利用者の情報端末とデータ送受を行うための通信手段を備え、
前記利用者データ記憶手段に記憶されている前記送付先情報は、前記情報端末にて受信可能な当該利用者の電子メールアドレスであり、
前記処理手段の案内情報送付処理においては、前記送付先情報となる電子メールアドレスに対して、前記情報提供者抽出処理にて抽出対象とした健康促進プログラムの申し込みに関する申し込み情報を提供するためのサーバコンピュータの前記オープンコンピュータネットワーク上のサイトアドレスを含む電子メールを送信することを特徴とする請求項１に記載の健康促進プログラム情報提供装置。
【請求項３】
前記サイトアドレスが前記健康促進プログラム情報提供装置のサイトアドレスであって、
前記健康促進プログラムＩＤと、該健康促進プログラムＩＤから特定される健康促進プログラムの実行を促すための実行促進情報とを対応付けて記憶するための健康促進プログラムデータ記憶手段を備え、
前記処理手段は、
前記案内情報送付処理にて送信された電子メールに含まれるサイトアドレスによりアクセスしてきた利用者から、当該利用者の利用者ＩＤと、該電子メールにて案内されている前記情報提供者抽出処理にて抽出対象とした健康促進プログラムを特定可能な情報とを含む申し込み要求を受付ける申し込み受付け処理と、
該受付けた申し込み要求に含まれる利用者ＩＤに対応付けて前記利用者データ記憶手段に記憶されている前記送付先情報となる電子メールアドレスに対して、該受付けた申し込み要求に含まれる情報から特定される健康促進プログラムの健康促進プログラムＩＤに対応付けて前記健康促進プログラムデータ記憶手段に記憶されている前記実行促進情報を含む電子メールを該実行促進情報に含まれる所定期間ごとに送信するための実行促進情報送付処理と、
を行うことを特徴とする請求項２に記載の健康促進プログラム情報提供装置。
【請求項４】
前記健康促進プログラムＩＤと、前記情報端末にて実行されることで当該情報端末の利用者に前記健康促進プログラムを実行させるためのアプリケーションプログラムを特定可能なアプリケーション特定情報とを対応付けて記憶するための健康促進プログラムデータ記憶手段を備え、
前記処理手段は、
前記案内情報送付処理にて送信された電子メールに含まれるサイトアドレスによりアクセスしてきた利用者から、当該利用者の利用者ＩＤと、該電子メールにて案内されている前記情報提供者抽出処理にて抽出対象とした健康促進プログラムを特定可能な情報とを含む申し込み要求を受付ける申し込み受付け処理と、
該受付けた申し込み要求に含まれる情報から特定される健康促進プログラムの健康促進プログラムＩＤに対応付けて前記健康促進データ記憶手段に記憶されているアプリケーション特定情報を特定するアプリケーションプログラム特定処理と、
該アプリケーション特定情報から特定されるアプリケーションプログラムを、前記申し込み受付け処理にて受付けた申し込み要求に含まれる利用者ＩＤから特定される利用者の情報端末に配信するためのアプリケーションプログラム配信処理と、
を行うことを特徴とする請求項２または３に記載の健康促進プログラム情報提供装置。
【請求項５】
前記処理手段は、
前記情報端末でのアプリケーションプログラムの実行に基づいて、該情報端末の利用者から、当該利用者の利用者ＩＤと、当該利用者の検査データを特定可能な検査データ特定情報とを含む検査データ情報を受付ける検査データ受付け処理と、
該受付けた検査データ情報に含まれる利用者ＩＤに対応付けて、該受付けた検査データ情報に含まれる検査データ特定情報にて特定される検査データを、前記健康状態データ記憶手段にその時点の日付とともに登録する検査データ登録処理と、
を行うことを特徴とする請求項４に記載の健康促進プログラム情報提供装置。
【請求項６】
オープンコンピュータネットワークを介して接続された提供対象者である利用者の情報端末に対して、該オープンコンピュータネットワークに接続されたサーバコンピュータにより、該利用者の健康状態に合った健康促進プログラムの情報を提供する健康促進プログラム情報提供方法であって、
利用者を特定可能な利用者ＩＤと、利用者に対する医療機関の診療結果を示す診療データ及び／または利用者に対する医学的検査の検査結果を示す検査データとを含む健康状態データとが対応付けて記憶された健康状態データベースの記憶データに基づいて、
複数の前記健康促進プログラムを個々に特定可能な健康促進プログラムＩＤと、当該健康促進プログラムＩＤから特定される健康促進プログラムの情報の提供対象とする利用者の前記健康状態データに関する条件とが対応付けて記憶された提供条件データベースにおいて、抽出対象とする健康促進プログラムの健康促進プログラムＩＤに対応付けて記憶されている前記健康状態データに関する条件を特定する抽出条件特定ステップと、
該抽出条件特定ステップにて特定した条件に適合する健康状態データに対応付けて前記健康状態データベースに記憶されている利用者ＩＤを抽出する情報提供者抽出ステップと、
前記利用者ＩＤと、当該利用者ＩＤから特定される利用者の電子メールアドレスとが対応付けて記憶された利用者データベースの記憶データに基づいて、前記情報提供者抽出ステップにて抽出した利用者ＩＤに対応付けて、該利用者データベースに記憶されている電子メールアドレスに基づいて、該利用者ＩＤから特定される利用者の電子メールアドレスを特定する送信先特定ステップと、
該送信先特定ステップにて特定した電子メールアドレスに対して、前記情報提供者抽出ステップにて抽出対象とした健康促進プログラムの情報を含む電子メールを送信する案内情報送信ステップと、
を含むことを特徴とする健康促進プログラム情報提供方法。
【請求項７】
前記案内情報送信ステップにおいては、前記送信先特定ステップにて特定した電子メールアドレスに対して、前記情報提供者抽出ステップにて抽出対象とした前記健康促進プログラムの申し込みに関する申し込み情報を提供するためのサーバコンピュータの前記オープンコンピュータネットワーク上のサイトアドレスを含む電子メールを送信することを特徴とする請求項６に記載の健康促進プログラム情報提供方法。
【請求項８】
前記健康促進プログラムＩＤと、該健康促進プログラムＩＤから特定される健康促進プログラムの実行を促すための実行促進情報とが対応付けて記憶された健康促進プログラムデータベースの記憶データに基づいて、
前記案内情報送信ステップにて送信された電子メールに含まれるサイトアドレスによりアクセスしてきた利用者から、当該利用者の利用者ＩＤと、該電子メールにて案内されている前記情報提供者抽出ステップにて抽出対象とした健康促進プログラムを特定可能な情報と、を含む申し込み要求を受付ける申し込み受付けステップと、
該受付けた申し込み要求に含まれる利用者ＩＤに対応付けて前記利用者データベースに記憶されている前記電子メールアドレスに対して、該受付けた申し込み要求に含まれる情報から特定される健康促進プログラムの健康促進プログラムＩＤに対応付けて前記健康促進プログラムデータベースに記憶されている前記実行促進情報を含む電子メールを該実行促進情報に含まれる所定期間ごとに送信するための実行促進情報送信ステップと、
を含むことを特徴とする請求項７に記載の健康促進プログラム情報提供方法。
【請求項９】
前記健康促進プログラムＩＤと、前記情報端末にて実行されることで当該情報端末の利用者に前記健康促進プログラムを実行させるためのアプリケーションプログラムを特定可能なアプリケーション特定情報とを対応付け記憶するための健康促進データベースの記憶データに基づいて、
前記案内情報送信ステップにて送信された電子メールに含まれるサイトアドレスによりアクセスしてきた利用者から、該利用者を特定可能な利用者ＩＤと、該電子メールにて案内されている前記情報提供者抽出ステップにて抽出対象とした健康促進プログラムを特定可能な情報とを含む申し込み要求を受付ける申し込み受付けステップと、
前記申し込み受付けステップにて受付けた申し込み要求に含まれる情報から特定される健康促進プログラムの健康促進プログラムＩＤに対応付けて前記健康促進データベースに記憶されているアプリケーション特定情報を特定するアプリケーションプログラム特定ステップと、
該アプリケーション特定情報から特定されるアプリケーションプログラムを、前記申し込み受付けステップにて受付けた申し込み要求に含まれる利用者ＩＤから特定される利用者の前記情報端末に配信するためのアプリケーションプログラム配信ステップと、
を含むことを特徴とする請求項８または９に記載の健康促進プログラム情報提供方法。
【請求項１０】
前記情報端末でのアプリケーションプログラムの実行に基づいて、該情報端末の利用者から、当該該利用者の利用者ＩＤと、当該利用者の検査データを特定可能な検査データ特定情報とを含む検査データ情報を受付ける検査データ受付けステップと、
該受付けた検査データ情報に含まれる利用者ＩＤに対応付けて、該受付けた検査データ情報に含まれる検査データ特定情報にて特定される検査データを、前記健康状態データベースにその時点の日付とともに登録する検査データ登録ステップと、
を行うことを特徴とする請求項９に記載の健康促進プログラム情報提供方法。
【発明の詳細な説明】
【技術分野】
【０００１】
本発明は、利用者に対して、利用者の健康状態に合った健康促進プログラムの情報を提供するための健康促進プログラム情報提供装置及び健康促進プログラム情報提供方法に関する。
【背景技術】
【０００２】
近年、例えば健康保険組合等においては、加入者の医療費を削減するために、また、加入者の健康増進のために、予防医療の重要性が認識されてきている。これら予防医療においては、医療費の増加の原因となりそうな加入者の行動を変容させることにより疾病を予防するための健康促進プログラムが注目されてきている。
【発明の開示】
【発明が解決しようとする課題】
【０００３】
しかしながら、加入者等のこれら健康促進プログラムを利用する側にとっては、多種多様な健康促進プログラムの中から、必要としている自分の健康状態に合った健康促進プログラムを効率良く特定する手段がなく、不要な健康促進プログラムも含めて健康促進プログラムの情報を確認していく必要があり、これら自分の健康状態に合った健康促進プログラムを特定するための利用する側の負担が大きいという問題があった。
【０００４】
また、健康促進プログラムによる予防医療を提供する側にとっては、健康促進プログラムを必要としている利用者のみに健康促進プログラムの情報を提供して、これら健康促進プログラムを案内（提案）したくても、前記健康促進プログラムを必要としている利用者を効率良く特定する手段がなく、不要な利用者も含めて無作為に健康促進プログラムの情報を提供して案内（提案）を行う必要があり、非効率的な案内（提案）しかできないという問題があった。
【０００５】
本発明は、利用者が、自分の健康状態に合った健康促進プログラムの情報を容易に知ることができるとともに、提供側にとっては、健康促進プログラムを必要としている利用者に健康促進プログラムの情報を効率的に提供することのできる健康促進プログラム情報提供装置及び健康促進プログラム情報提供方法を提供することを目的としている。
【課題を解決するための手段】
【０００６】
上記課題を解決するために、本発明の請求項１に記載の健康促進プログラム情報提供装置は、
提供対象者である利用者に対して、該利用者の健康状態に合った健康促進プログラムの情報を提供するための健康促進プログラム情報提供装置であって、
利用者を特定可能な利用者ＩＤと、利用者に対する医療機関の診療結果を示す診療データ及び／または利用者に対する医学的検査の検査結果を示す検査データとを含む健康状態データとを対応付けて記憶するための健康状態データ記憶手段と、
前記利用者ＩＤと、当該利用者ＩＤから特定される利用者への通知を送付するための送付先情報とを対応付けて記憶するための利用者データ記憶手段と、
複数の前記健康促進プログラムを個々に特定可能な健康促進プログラムＩＤと、当該健康促進プログラムＩＤから特定される健康促進プログラムの情報の提供対象とする利用者の前記健康状態データに関する条件とを対応付けて記憶するための提供条件データ記憶手段と、
前記提供条件データ記憶手段に抽出対象とする健康促進プログラムの健康促進プログラムＩＤに対応付けて記憶されている前記健康状態データに関する条件を特定する抽出条件特定処理と、該抽出条件特定処理にて特定した条件に適合する健康状態データに対応付けて前記健康状態データ記憶手段に記憶されている利用者ＩＤを抽出する情報提供者抽出処理と、該情報提供者抽出処理にて抽出した利用者ＩＤに対応付けて前記利用者データ記憶手段に記憶されている送付先情報に基づいて、該利用者ＩＤから特定される利用者への通知を送付するための送付先を特定する送付先特定処理と、該特定した送付先に対して、前記情報提供者抽出処理にて抽出対象とした健康促進プログラムの情報を送付するための案内情報送付処理と、を行う処理手段と、
を備えることを特徴としている。
この特徴によれば、利用者が、健康状態データ記憶手段に記憶されている自分の健康状態に合った健康促進プログラムの情報を、送付される健康促進プログラムの情報に基づいて容易に知ることができるとともに、提供側にとっては、健康促進プログラムを必要としている利用者に健康促進プログラムの情報を効率的に案内（提案）することができる。
【０００７】
本発明の請求項２に記載の健康促進プログラム情報提供装置は、請求項１に記載の健康促進プログラム情報提供装置であって、
コンピュータネットワークを介して接続された利用者の情報端末とデータ送受を行うための通信手段を備え、
前記利用者データ記憶手段に記憶されている前記送付先情報は、前記情報端末にて受信可能な当該利用者の電子メールアドレスであり、
前記処理手段の案内情報送付処理においては、前記送付先情報となる電子メールアドレスに対して、前記情報提供者抽出処理にて抽出対象とした健康促進プログラムの申し込みに関する申し込み情報を提供するためのサーバコンピュータの前記オープンコンピュータネットワーク上のサイトアドレスを含む電子メールを送信することを特徴としている。
この特徴によれば、利用者が、送信された電子メールに含まれるサイトアドレスにアクセスすることで、健康促進プログラムの申し込み情報を容易に確認できるとともに、提供側にとっては、電子メールにて迅速に、かつ、低コストで健康促進プログラムの申し込み情報を案内（提案）することができる。
【０００８】
本発明の請求項３に記載の健康促進プログラム情報提供装置は、請求項２に記載の健康促進プログラム情報提供装置であって、
前記サイトアドレスが前記健康促進プログラム情報提供装置のサイトアドレスであって、
前記健康促進プログラムＩＤと、該健康促進プログラムＩＤから特定される健康促進プログラムの実行を促すための実行促進情報とを対応付けて記憶するための健康促進プログラムデータ記憶手段を備え、
前記処理手段は、
前記案内情報送付処理にて送信された電子メールに含まれるサイトアドレスによりアクセスしてきた利用者から、当該利用者の利用者ＩＤと、該電子メールにて案内されている前記情報提供者抽出処理にて抽出対象とした健康促進プログラムを特定可能な情報とを含む申し込み要求を受付ける申し込み受付け処理と、
該受付けた申し込み要求に含まれる利用者ＩＤに対応付けて前記利用者データ記憶手段に記憶されている前記送付先情報となる電子メールアドレスに対して、該受付けた申し込み要求に含まれる情報から特定される健康促進プログラムの健康促進プログラムＩＤに対応付けて前記健康促進プログラムデータ記憶手段に記憶されている前記実行促進情報を含む電子メールを該実行促進情報に含まれる所定期間ごとに送信するための実行促進情報送付処理と、
を行うことを特徴としている。
この特徴によれば、利用者が、送信された電子メールに含まれる健康促進プログラムへの申し込みを簡便に実施できるとともに、申し込んだ健康促進プログラムの実行を該健康促進プログラムに対応した所定期間ごとに促してくれるようになるので、健康促進プログラムの実行忘れを極力防止できる一方、提供側にとっては、申し込まれた健康促進プログラムの実行を該健康促進プログラムに対応した所定期間ごとに促すことで、利用者の健康増進の意欲が減退することも抑制できる。
【０００９】
本発明の請求項４に記載の健康促進プログラム提供装置は、請求項２または３に記載の健康促進プログラム情報提供装置であって、
前記健康促進プログラムＩＤと、前記情報端末にて実行されることで当該情報端末の利用者に前記健康促進プログラムを実行させるためのアプリケーションプログラムを特定可能なアプリケーション特定情報とを対応付けて記憶するための健康促進プログラムデータ記憶手段を備え、
前記処理手段は、
前記案内情報送付処理にて送信された電子メールに含まれるサイトアドレスによりアクセスしてきた利用者から、当該利用者の利用者ＩＤと、該電子メールにて案内されている前記情報提供者抽出処理にて抽出対象とした健康促進プログラムを特定可能な情報とを含む申し込み要求を受付ける申し込み受付け処理と、
該受付けた申し込み要求に含まれる情報から特定される健康促進プログラムの健康促進プログラムＩＤに対応付けて前記健康促進データ記憶手段に記憶されているアプリケーション特定情報を特定するアプリケーションプログラム特定処理と、
該アプリケーション特定情報から特定されるアプリケーションプログラムを、前記申し込み受付け処理にて受付けた申し込み要求に含まれる利用者ＩＤから特定される利用者の情報端末に配信するためのアプリケーションプログラム配信処理と、
を行うことを特徴としている。
この特徴によれば、利用者が、申し込んだ健康促進プログラムを実行するためのアプリケーションプログラムを容易に取得でき、例えばこれら取得したアプリケーションプログラムを記憶しておくことで、健康促進プログラムを実行しようとする毎にアプリケーションプログラムを取得する必要もなく、利用者の利便性を向上できる。
【００１０】
本発明の請求項５に記載の健康促進プログラム情報提供装置、請求項４に記載の健康促進プログラム情報提供装置であって、
前記処理手段は、
前記情報端末でのアプリケーションプログラムの実行に基づいて、該情報端末の利用者から、当該利用者の利用者ＩＤと、当該利用者の検査データを特定可能な検査データ特定情報とを含む検査データ情報を受付ける検査データ受付け処理と、
該受付けた検査データ情報に含まれる利用者ＩＤに対応付けて、該受付けた検査データ情報に含まれる検査データ特定情報にて特定される検査データを、前記健康状態データ記憶手段にその時点の日付とともに登録する検査データ登録処理と、
を行うことを特徴としている。
この特徴によれば、アプリケーションプログラムの実行による利用者の健康状態の推移が健康促進プログラム情報提供装置に記憶されることで、提供者側は、利用者の健康状態の推移状況を把握することができる。
【００１１】
本発明の請求項６に記載の健康促進プログラム情報提供方法は、
オープンコンピュータネットワークを介して接続された提供対象者である利用者の情報端末に対して、該オープンコンピュータネットワークに接続されたサーバコンピュータにより、該利用者の健康状態に合った健康促進プログラムの情報を提供する健康促進プログラム情報提供方法であって、
利用者を特定可能な利用者ＩＤと、利用者に対する医療機関の診療結果を示す診療データ及び／または利用者に対する医学的検査の検査結果を示す検査データとを含む健康状態データとが対応付けて記憶された健康状態データベースの記憶データに基づいて、
複数の前記健康促進プログラムを個々に特定可能な健康促進プログラムＩＤと、当該健康促進プログラムＩＤから特定される健康促進プログラムの情報の提供対象とする利用者の前記健康状態データに関する条件とが対応付けて記憶された提供条件データベースにおいて、抽出対象とする健康促進プログラムの健康促進プログラムＩＤに対応付けて記憶されている前記健康状態データに関する条件を特定する抽出条件特定ステップと、
該抽出条件特定ステップにて特定した条件に適合する健康状態データに対応付けて前記健康状態データベースに記憶されている利用者ＩＤを抽出する情報提供者抽出ステップと、
前記利用者ＩＤと、当該利用者ＩＤから特定される利用者の電子メールアドレスとが対応付けて記憶された利用者データベースの記憶データに基づいて、前記情報提供者抽出ステップにて抽出した利用者ＩＤに対応付けて、該利用者データベースに記憶されている電子メールアドレスに基づいて、該利用者ＩＤから特定される利用者の電子メールアドレスを特定する送信先特定ステップと、
該送信先特定ステップにて特定した電子メールアドレスに対して、前記情報提供者抽出ステップにて抽出対象とした健康促進プログラムの情報を含む電子メールを送信する案内情報送信ステップと、
を含むことを特徴としている。
この特徴によれば、利用者が、健康状態データベースに記憶されている自分の健康状態に合った健康促進プログラムの情報を、送信される電子メールに基づいて容易に知ることができるとともに、提供側にとっては、健康促進プログラムを必要としている利用者に健康促進プログラムの情報を効率的に案内（提案）することができるばかりか、電子メールにて迅速に、かつ、低コストで健康促進プログラムの情報を案内（提案）することができる。
【００１２】
本発明の請求項７に記載の健康促進プログラム情報提供方法は、請求項６に記載の健康促進プログラム情報提供方法であって、
前記案内情報送信ステップにおいては、前記送信先特定ステップにて特定した電子メールアドレスに対して、前記情報提供者抽出ステップにて抽出対象とした前記健康促進プログラムの申し込みに関する申し込み情報を提供するためのサーバコンピュータの前記オープンコンピュータネットワーク上のサイトアドレスを含む電子メールを送信することを特徴としている。
この特徴によれば、利用者が、送信された電子メールに含まれるサイトアドレスにアクセスすることで、健康促進プログラムの申し込み情報を容易に確認できる。
【００１３】
本発明の請求項８に記載の健康促進プログラム情報提供方法は、請求項７に記載の健康促進プログラム情報提供方法であって、
前記健康促進プログラムＩＤと、該健康促進プログラムＩＤから特定される健康促進プログラムの実行を促すための実行促進情報とが対応付けて記憶された健康促進プログラムデータベースの記憶データに基づいて、
前記案内情報送信ステップにて送信された電子メールに含まれるサイトアドレスによりアクセスしてきた利用者から、当該利用者の利用者ＩＤと、該電子メールにて案内されている前記情報提供者抽出ステップにて抽出対象とした健康促進プログラムを特定可能な情報と、を含む申し込み要求を受付ける申し込み受付けステップと、
該受付けた申し込み要求に含まれる利用者ＩＤに対応付けて前記利用者データベースに記憶されている前記電子メールアドレスに対して、該受付けた申し込み要求に含まれる情報から特定される健康促進プログラムの健康促進プログラムＩＤに対応付けて前記健康促進プログラムデータベースに記憶されている前記実行促進情報を含む電子メールを該実行促進情報に含まれる所定期間ごとに送信するための実行促進情報送信ステップと、
を含むことを特徴としている。
この特徴によれば、利用者が、送信された電子メールに含まれる健康促進プログラムへの申し込みを簡便に実施できるとともに、申し込んだ健康促進プログラムの実行を該健康促進プログラムに対応した所定期間ごとに促してくれるようになるので、健康促進プログラムの実行忘れを極力防止できる一方、提供側にとっては、申し込まれた健康促進プログラムの実行を該健康促進プログラムに対応した所定期間ごとに促すことで、利用者の健康増進の意欲が減退することも抑制できる。
【００１４】
本発明の請求項９に記載の健康促進プログラム情報提供方法は、請求項７または８に記載の記載の健康促進プログラム情報提供方法であって、
前記健康促進プログラムＩＤと、前記情報端末にて実行されることで当該情報端末の利用者に前記健康促進プログラムを実行させるためのアプリケーションプログラムを特定可能なアプリケーション特定情報とを対応付け記憶するための健康促進データベースの記憶データに基づいて、
前記案内情報送信ステップにて送信された電子メールに含まれるサイトアドレスによりアクセスしてきた利用者から、該利用者を特定可能な利用者ＩＤと、該電子メールにて案内されている前記情報提供者抽出ステップにて抽出対象とした健康促進プログラムを特定可能な情報とを含む申し込み要求を受付ける申し込み受付けステップと、
前記申し込み受付けステップにて受付けた申し込み要求に含まれる情報から特定される健康促進プログラムの健康促進プログラムＩＤに対応付けて前記健康促進データベースに記憶されているアプリケーション特定情報を特定するアプリケーションプログラム特定ステップと、
該アプリケーション特定情報から特定されるアプリケーションプログラムを、前記申し込み受付けステップにて受付けた申し込み要求に含まれる利用者ＩＤから特定される利用者の前記情報端末に配信するためのアプリケーションプログラム配信ステップと、
を含むことを特徴としている。
この特徴によれば、利用者が、申し込んだ健康促進プログラムを実行するためのアプリケーションプログラムを容易に取得でき、例えばこれら取得したアプリケーションプログラムを記憶しておくことで、健康促進プログラムを実行しようとする毎にアプリケーションプログラムを取得する必要もなく、利用者の利便性を向上できる。
【００１５】
本発明の請求項１０に記載の健康促進プログラム情報提供方法は、請求項９に記載の健康促進プログラム情報提供方法であって、
前記情報端末でのアプリケーションプログラムの実行に基づいて、該情報端末の利用者から、当該該利用者の利用者ＩＤと、当該利用者の検査データを特定可能な検査データ特定情報とを含む検査データ情報を受付ける検査データ受付けステップと、
該受付けた検査データ情報に含まれる利用者ＩＤに対応付けて、該受付けた検査データ情報に含まれる検査データ特定情報にて特定される検査データを、前記健康状態データベースにその時点の日付とともに登録する検査データ登録ステップと、
を行うことを特徴としている。
この特徴によれば、アプリケーションプログラムの実行による利用者の健康状態の推移がサーバコンピュータに記憶されることで、提供者側は、利用者の健康状態の推移状況を把握することができる。
【発明を実施するための最良の形態】
【００１６】
本発明の実施例を以下に説明する。
【実施例】
【００１７】
図１は、本発明の健康促進プログラム提供方法を提供する健康促進プログラム提供装置（以下、提供装置と略称する）の構成を示す図である。
【００１８】
本実施例の提供装置は、図１に示すように、利用者としての健康保険組合の加入者が利用する情報端末としての携帯電話５において実行可能とされた健康促進アプリケーションプログラム（以下、健康促進アプリと略称する）が記憶されるとともに、これら健康促進アプリや各種Ｗｅｂページを本発明におけるオープンコンピュータネットワークとしてのインターネット網４を介して携帯電話５に配信可能とされたサイトサーバ１と、該サイトサーバ１とファイアウォール３を介して外部からの侵入が困難に接続され、利用者の健康状態を示す個人情報等が記憶され、これら健康状態に基づく健康促進プログラムの提供が可能とされた管理サーバ２と、から主に構成される。
【００１９】
尚、本実施例では、サイトサーバ１および管理サーバ２は、利用者が加入している健康保険組合により運営されており、該健康保険組合においては、加入者である利用者が医療機関にて診療を受けた際の保険診療の請求書が各医療機関から送付されてくるようになっている。
【００２０】
また、本実施例における健康促進プログラムは、利用者の健康状態を向上させるための行動変容を促すアドバイスや方法論、及び、これら方法論に基づいて利用者を行動させるための健康促進アプリや健康器具や食事療法用の献立等をまとめたものである。
【００２１】
また、健康促進プログラムを利用者に実行させるための本実施例における健康促進アプリとは、健康促進プログラムを利用者に実行させるためのソフトウェア（アプリケーションプログラム）であり、これらアプリケーションプログラムは利用者が携行する携帯電話５にて実行可能とされている。
【００２２】
また、本実施例の携帯電話５は、インターネット網４への接続機能と電子メールの送受信機能を備えた通常の携帯電話機を好適に使用することができる。
【００２３】
本実施例におけるサイトサーバ１は、図１に示すように、ＣＰＵの制御プログラム等を格納するＲＯＭ、携帯電話５から健康促進アプリのプログラムファイルを要求する旨を示すファイル要求を受信するファイル要求受信処理や、健康促進アプリを配信するアプリケーション配信処理等の各種処理を実施するための処理プログラムを実行するＣＰＵ、必要なデータの書き込み及び読み出しを行うＲＡＭを備える制御部１０１と、前述の各種処理プログラムや健康促進アプリ等が記憶された記憶部１０２と、インターネット網４を介して携帯電話５とデータの送受信を行うための本発明の通信手段としての通信部１０３と、ファイアウォール３を介して管理サーバ２とデータの送受信を行うための通信部１０４とから構成されており、比較的高速の演算処理が可能な通常のサーバコンピュータとされている。
【００２４】
本実施例における管理サーバ２は、図１に示すように、ＣＰＵの制御プログラム等を格納するＲＯＭ、利用者の診療データや検査データを含む健康状態データを登録する処理や、利用者の健康状態に合った健康促進プログラムを特定する処理や、利用者が登録した健康促進プログラムに基づいて、健康促進アプリの実施を促すメールを送信する処理等の各種処理を実施するための処理プログラムを実行するＣＰＵ、必要なデータの書き込み及び読み出しを行うＲＡＭを備える制御部２０１と、前述の各種処理プログラムや、図２及び図３に示す利用者の健康状態や、健康促進プログラムへの登録状況等の各種情報が記憶された記憶部２０２と、ファイアウォール３を介してサイトサーバ２とデータの送受信を行うための通信部２０３と、キーボードやマウスやディスプレイ等からなる入出力部２０４とから構成されており、比較的高速の演算処理が可能な通常のサーバコンピュータとされている。
【００２５】
また、前記管理サーバ２の記憶部２０２には、図２（ａ）に示すように、利用者（加入者）を特定可能な利用者ＩＤに対応付けて、氏名、住所、電話番号、電子メールアドレス等が登録される利用者テーブルが記憶されている。つまり、電子メールアドレスや住所、電話番号は、本発明における利用者への通知を送付するための送付先情報に該当し、該利用者テーブルは、本発明における利用者データ記憶手段に該当するとともに、本発明の利用者データベースに該当する。
【００２６】
また、前記管理サーバ２の記憶部２０２には、図２（ｂ）に示すように、利用者ＩＤ及び医療機関で診療を受けた日付に対応付けて、医師により診断された病名、病院名等の各医療機関より送付されてくるレセプトに記載される各種情報が登録される診療履歴テーブルが記憶されている。すなわち、診療履歴テーブルの各データは、本発明の診療データに該当する。
【００２７】
また、前記管理サーバ２の記憶部２０２には、図２（ｃ）に示すように、利用者ＩＤ及び健康状態を示す指標を検査した日時に対応付けて、健康状態を示す指標と、当該指標の検査結果、具体的には、身長、体重、血圧（上）、血圧（下）、総コレステロール等が登録される検査履歴テーブルが記憶されている。すなわち、検査履歴テーブルの各データは、本発明の検査データに該当する。尚、これら検査データは、例えば、利用者（加入者）が所属している企業や団体等における健康診断のデータ等が例示され、これら健康診断のデータ等が健康保険組合に提供されることで記憶される。また、本実施例では、健康状態を示す指標として、検査結果、具体的には、身長、体重、血圧（上）、血圧（下）、総コレステロール等を例示しているが、本発明はこれに限定されるものではなく、これら健康状態を示す指標としては、例えば、生体検査による前記身長、体重、血圧等に加えて、肥満度や、心電図、視力、眼圧等の種々の生体の検査に基づく指標や、検体検査による総コレステロール等の血液学検査に加えて、検尿（蛋白、糖、潜血、沈渣）や、検便（潜血）や、血液生化学的検査（血清総蛋白、アルブミン、ＧＯＴ、ＧＰＴ等）など、生体から採取された検体の検査に基づく指標を好適に用いることができる。
【００２８】
このように、利用者ＩＤと診療データとが対応付けて記憶された診療履歴テーブルと、利用者ＩＤと検査データとが対応付けて記憶された検査履歴テーブルにより、利用者ＩＤと、診療データ及び／または検査データとを含む健康状態データとが対応付けて記憶されており、診療履歴テーブル及び／または検査履歴テーブルを含むテーブルは、本発明の健康状態データ記憶手段を形成する。また、診療履歴テーブル及び／または検査履歴テーブルを含むテーブルは本発明の健康状態データベースを形成する。
【００２９】
また、前記管理サーバ２の記憶部２０２には、図３（ａ）に示すように、利用者の行動変容を促すための健康促進プログラムを特定可能なプログラムＩＤに対応付けて、当該健康促進プログラムの名称、利用者に提供される健康促進アプリのファイル名、利用者に電子メール等で健康促進プログラムの実行を働きかける間隔を示す働きかけ間隔、当該健康促進プログラムの情報を案内する文章の雛型となる案内用文面、当該健康促進プログラムの申し込みに関する申し込み情報を示す文章の雛型となる申込用文面、当該健康促進プログラムの実行を促すための文章の雛型となる促進用文面、等が登録される健康促進プログラムテーブルが記憶されている。
【００３０】
すなわち、働きかけ間隔は、本発明の所定期間に該当する。また、促進用文面及び働きかけ間隔（所定期間）は、本発明の実行促進情報を形成する。また、健康促進プログラムテーブルは、本発明の請求項３における健康促進プログラムデータ記憶手段に該当するとともに、本発明の請求項８における健康促進プログラムデータベースに該当する。
【００３１】
また、ファイル名は、本発明のアプリケーション特定情報に該当する。また、健康促進プログラムテーブルは、本発明の請求項４における健康促進プログラムデータ記憶手段に該当するとともに、本発明の請求項９における健康促進プログラムデータベースに該当する。
【００３２】
ここで、働きかけ間隔について説明すると、例えば、図３（ａ）に示すように、働きかけ間隔には「毎日」や「毎週」等の値が記憶されており、前記管理サーバ２の制御部２０１は、前回働きかけた日時に応じて、次回働きかける日時を算出できるようになっている。具体的には、働きかけ間隔が「毎日」であり、前回働きかけた日時が２００４年１２月９日１８時であった場合には、次回働きかける日時は２００４年１２月１０日１８時として算出される。
【００３３】
また、前記管理サーバ２の記憶部２０２には、図３（ｂ）に示すように、プログラムＩＤに対応付けて、当該プログラムＩＤから特定される健康促進プログラムの情報の提供対象とする利用者の健康状態データ、具体的には、診療履歴テーブル（図２（ｂ）参照）の診療データもしくは検査履歴テーブル（図２（ｃ）参照）の検査データに関する条件（以下、提供条件と称す）が登録される健康促進プログラム特定テーブルが記憶されている。すなわち、健康促進プログラム特定テーブルは、本発明の提供条件データ記憶手段に該当するとともに、本発明の提供条件データベースに該当する。
【００３４】
ここで提供条件について説明すると、提供条件は、診療履歴テーブル（図２（ｂ）参照）または検査履歴テーブル（図２（ｃ）参照）のいずれかが設定されるテーブル名と、該テーブル名が付与されたテーブルに含まれる項目の名前である項目名と、該項目名が付与された項目の値である項目値等からなる。
【００３５】
例えば、プログラムＩＤとして「Ｐ００００１」が付与された「高血圧」用の健康促進プログラムの提供条件としては、図３（ｂ）に示すように、「診療履歴」テーブル（図２（ｂ）参照）の「病名」が「高血圧症」である場合や、「検査履歴」テーブル（図２（ｃ）参照）の「血圧（上）」が「１４０以上」である場合や、「検査履歴」テーブル（図２（ｃ）参照）の「血圧（下）」が「９０以上」である場合等が登録されている。
【００３６】
尚、健康促進プログラム特定テーブル（図３（ｂ）参照）には、健康促進プログラムの実行を停止するよう利用者に案内するための提供停止条件を記憶するようにしても良い。提供停止条件としては、例えば、プログラムＩＤとして「Ｐ００００１」が付与された「高血圧」用の健康促進プログラムの実行を停止するよう案内する場合には、「検査履歴」テーブル（図２（ｃ）参照）の「血圧（上）」が「１３５以下」である場合や、「検査履歴」テーブル（図２（ｃ）参照）の「血圧（下）」が「８５以下」である場合等を登録すれば良い。このようにすれば、利用者の健康状態に応じて健康促進プログラムの実行を案内できるとともに、利用者の健康状態に応じて（健康状態が好転した場合等）健康促進プログラムの実行停止を案内できる。
【００３７】
また、前記管理サーバ２の記憶部２０２には、図３（ｃ）に示すように、利用者ＩＤに対応付けて、プログラムＩＤが登録されているとともに、当該プログラムＩＤに対応付けて、健康促進プログラムの情報を利用者に案内している状態を示す「案内中」か、健康促進プログラムに利用者が申し込んだ状態を示す「登録中」のいずれかを示す登録状態と、利用者に最後に働きかけた日時を示す前回働きかけ日時等が登録される健康促進プログラム登録テーブルが記憶されている。
【００３８】
次いで、本実施例の提供装置において、利用者の健康状態に合った健康促進プログラムを特定し、該特定した健康促進プログラムに基づいてメール送信等により利用者に働きかける流れを、サイトサーバ１や管理サーバ２の詳細な制御内容とともに、図４及び図５に基づいて以下に説明していく。
【００３９】
まず、管理サーバ２の制御部２０１は、健康保険組合の従業員から、利用者の利用者ＩＤと、各医療機関より送付されてくる当該利用者の診療結果を示すレセプトに基づく当該利用者の診療データを、入出力部２０４を介して受付ける。
【００４０】
また、管理サーバ２の制御部２０１は、健康促進プログラムに申し込んでいる健康保険組合の利用者から、当該利用者の利用者ＩＤと、当該利用者の検査データを特定可能な情報（例えば、項目名「血圧」、項目値「１３０」、「１８９」）を、該健康促進プログラムに対応する健康促進アプリの実行に基づいて受付ける検査データ受付け処理を実施する。すなわち、検査データ受付け処理は、本発明の検査データ受付け処理に該当するとともに、本発明の検査データ受付けステップに該当する。
【００４１】
診療データを受付けた管理サーバ２の制御部２０１は、該受付けた診療データを診療履歴テーブル（図２（ｂ）参照）に登録する。
【００４２】
また、検査データを特定可能な情報を受付けた管理サーバ２の制御部２０１は、該受付けた検査データを特定可能な情報（例えば、項目名「血圧」、項目値「１３０」、「１８９」）から特定される検査データ（例えば、項目名「血圧（下）」、項目値「１３０」、項目名「血圧（上）」、項目値「１８９」）を、現在の日付とともに検査履歴テーブル（図２（ｃ）参照）に登録する検査データ登録処理を実施する。すなわち、検査データ登録処理は、本発明の検査データ登録処理に該当するとともに、本発明の検査データ登録ステップに該当する。
【００４３】
診療データもしくは検査データを含む健康状態データの登録処理により診療履歴テーブル（図２（ｂ）参照）または検査履歴テーブル（図２（ｃ）参照）に新たな健康状態データが登録されると、管理サーバ２の制御部２０１は、健康促進プログラム特定テーブル（図３（ｂ）参照）に抽出対象とする健康促進プログラムの健康促進プログラムＩＤに対応付けて登録されている健康状態データに関する条件を特定する抽出条件特定処理を実施する。尚、健康状態データに関する条件が特定されない場合には、管理サーバ２の制御部２０１は処理を終了する。すなわち、抽出条件特定処理は、本発明の抽出条件特定処理に該当するとともに、本発明の抽出条件特定ステップに該当する。
【００４４】
具体的には、新たに登録された健康状態データ（例えば、テーブル名「検査履歴」、項目名「血圧（下）」、項目値「１３０」、項目名「血圧（上）」、項目値「１８９」）に含まれるテーブル名と項目名に関する抽出条件を健康促進プログラム特定テーブル（図３（ｂ）参照）から特定する。本実施例においては、図３（ｂ）に示すように、テーブル名「検査履歴」における項目名「血圧（下）」や項目名「血圧（上）」に関する条件として、項目名「血圧（下）」が項目値「９０以上」、もしくは、項目名「血圧（上）」が項目値「１４０以上」であるときにプログラムＩＤ「Ｐ００００１」を特定する旨を示す抽出条件が特定される。
【００４５】
次いで、抽出条件特定処理にて特定した条件（例えば、テーブル名「検査履歴」において、項目名「血圧（下）」が項目値「９０以上」、もしくは、項目名「血圧（上）」が項目値「１４０以上」である場合に、プログラムＩＤ「Ｐ００００１」を特定するという条件）に対応する健康状態データ（例えば、テーブル名「検査履歴」、項目名「血圧（下）」、項目値「１３０」、項目名「血圧（上）」、項目値「１８９」）に対応付けて、検査履歴テーブル（図２（ｃ）参照）に記憶されている利用者ＩＤ（例えば、「０００００００１」）を抽出する情報提供者抽出処理を実施する。尚、利用者ＩＤが抽出されない場合には、管理サーバ２の制御部２０１は処理を終了する。すなわち、本発明の情報提供者抽出処理に該当するとともに、本発明の情報提供者抽出ステップに該当する。
【００４６】
尚、本実施例では、検査履歴テーブル（図２（ｃ）参照）に検査データが登録された場合の例として、検査データに関する処理を例示しているが、診療履歴テーブル（図２（ｂ）参照）に診療データ（例えば、テーブル名「診療履歴」、項目名「病名」、項目値「高血圧症」）が登録された場合にも同様の手順で処理できるのはいうまでもない。
【００４７】
また、情報提供者抽出処理においては、健康促進プログラム特定テーブル（図３（ｂ）参照）に基づいて利用者に提供する健康促進プログラムの情報を特定した後に、当該利用者に対して当該健康促進プログラムが案内中でも登録中でもない旨を健康促進プログラム登録テーブル（図３（ｃ）参照）に基づいて確認する。具体的には、当該利用者の利用者ＩＤ及び当該健康促進プログラムのプログラムＩＤに対応付けられた登録状態が「案内中」でも「登録中」でもないことを確認する。「案内中」か「登録中」である場合には、情報提供者抽出処理を終了して以降の処理に移行しない。また、「案内中」でも「登録中」でもない場合には、情報提供者抽出処理を終了して以降の処理に移行する。
【００４８】
尚、本実施例では、診療履歴テーブル（図２（ｂ）参照）または検査履歴テーブル（図２（ｃ）参照）に対する新たなデータの登録ごとに、抽出条件特定処理及び情報提供者抽出処理を実施する構成としているが、本発明はこれに限定されるものではなく、抽出条件特定処理及び情報提供者抽出処理を所定期間、例えば、１週間や半月や１ヶ月ごとに実施する構成としても良い。
【００４９】
抽出条件特定処理により健康促進プログラムのプログラムＩＤを特定し、情報提供者抽出処理により利用者の利用者ＩＤを抽出すると、管理サーバ２の制御部２０１は、健康促進プログラム登録テーブル（図３（ｃ）参照）に、当該利用者ＩＤ及び当該プログラムＩＤに対応付けられた登録状態を「案内中」とするプログラム登録処理を実施する。
【００５０】
管理サーバ２の制御部２０１は、情報提供者抽出処理にて抽出した利用者ＩＤに対応付けて利用者テーブル（図２（ａ）参照）に記憶されている電子メールアドレスに基づいて、該利用者ＩＤから特定される利用者への通知を送付するための送付先（電子メールアドレス）を特定する送付先特定処理を実施する。すなわち、送付先特定処理は、本発明の送付先特定処理に該当するとともに、本発明の送信先特定ステップに該当する。
【００５１】
管理サーバ２の制御部２０１は、該特定した送付先（電子メールアドレス）に対して、情報提供者抽出処理にて抽出対象とした健康促進プログラムの情報（電子メール）を送付するための案内情報送付処理を実施する。すなわち、案内情報送付処理は、本発明の請求項１における案内情報送付処理に該当するとともに、本発明の請求項６における案内情報送信ステップに該当する。
【００５２】
ここで、健康促進プログラムの情報について説明すると、健康促進プログラムの情報は、情報提供者抽出処理にて抽出対象とした健康促進プログラムの健康促進プログラムＩＤに対応付けて健康促進プログラムテーブル（図３（ａ）参照）に記憶されている案内用文面に基づいて、管理サーバ２の制御部２０１により作成された電子メール（図４（ａ）参照）である。
【００５３】
また、案内用文面に基づいて作成された電子メール（図４（ａ）参照）には、情報提供者抽出処理にて抽出対象とした健康促進プログラムの申し込みに関する申し込み情報（図４（ｄ）参照、詳細な説明は後述）を提供するためのインターネット上のサイトアドレス（例えば、ｈｔｔｐｓ：／／ｘｘｘ．ｘｘｘ．ｘｘｘ／、サイトサーバ１が構成するＷｅｂサイトのトップページのアドレス）を含んでいる。すなわち、案内情報送付処理は、本発明の請求項２における案内情報送付処理に該当するとともに、本発明の請求項７における案内情報送信ステップに該当する。
【００５４】
利用者が、携帯電話５にて案内用文面に基づいて作成された電子メール（図４（ａ）参照）を受信してトップページのアドレスを選択入力すると、トップページ要求が携帯電話５からサイトサーバ１に送信される。トップページ要求を受信したサイトサーバ１の制御部１０１は、図４（ｂ）に示すトップページを携帯電話５に送信する。
【００５５】
利用者が、携帯電話５に表示されたトップページ（図４（ｂ）参照）に利用者ＩＤとパスワードを入力し、「ログイン」を選択入力すると、利用者ＩＤとパスワードを含むログイン要求がサイトサーバ１に送信される。ログイン要求を受信したサイトサーバ１の制御部１０１は、ログイン要求を管理サーバ２に送信する。ログイン要求を受信した管理サーバ２の制御部２０１は、利用者テーブル（図２（ａ）参照）に基づいて、該受信したログイン要求に含まれる利用者ＩＤとパスワードが登録されているかを確認することで、登録された利用者か否かを判定する。登録された利用者でない場合には、エラー処理を行い、処理を終了する。
【００５６】
登録された利用者である場合には、管理サーバ２の制御部２０１は、受信したログイン要求に含まれる利用者ＩＤに対応付けて健康促進プログラム登録テーブル（図３（ｃ）参照）に登録されているプログラムＩＤのうち、登録状態が「案内中」であるものを抽出するとともに、これら登録状態が「案内中」であるプログラムＩＤに対応付けて健康促進プログラムテーブル（図３（ａ）参照）に記憶されている名称と、申込用文面を抽出する。そして、ログイン要求に含まれる利用者ＩＤ、及び、抽出したプログラムＩＤとプログラムＩＤから特定された名称と申込用文面に基づいて作成された文章とを含むログイン許可をサイトサーバ１に送信する。
【００５７】
ログイン許可を受信したサイトサーバ１の制御部１０１は、該受信したログイン許可に含まれる利用者ＩＤ、プログラムＩＤ、プログラムＩＤから特定される健康促進プログラムの名称（例えば、「高血圧」と「高コレステロール」の２つ）を含むプログラム選択ページ（図４（ｃ）参照）を生成し、携帯電話５に送信する。
【００５８】
利用者が、携帯電話５に表示されたプログラム選択ページ（図４（ｃ）参照）に含まれるプログラムＩＤから特定される健康促進プログラムの名称のうち、いずれか１つ（例えば、「高血圧」）を選択し、「申し込む」を選択入力すると、選択された名称に対応付けられたプログラムＩＤと、プログラム選択ページに含まれる利用者ＩＤとを含む申込ページ要求がサイトサーバ１に送信される。
【００５９】
該申込ページ要求を受信したサイトサーバ１の制御部１０１は、該申込ページ要求に含まれるプログラムＩＤと利用者ＩＤと、ログイン許可に含まれていた申込用文面に基づいて作成された文章を含む申込ページ（図４（ｄ）参照）を生成し、携帯電話５に送信する。
【００６０】
利用者が携帯電話５に表示された申込ページ（図４（ｄ）参照）にて「申し込む」を選択入力すると、申込ページに含まれる利用者ＩＤとプログラムＩＤとを含む申込要求がサイトサーバ１に送信される。そして、サイトサーバ１の制御部１０１は、該申込要求を受信する申し込み要求受付け処理を実施する。すなわち、申し込み要求受付処理は、本発明の請求項３及び請求項４における申し込み受付け処理に該当するとともに、本発明の請求項８及び請求項９における申し込み受付けステップに該当する。
【００６１】
この申込要求を受信したサイトサーバ１の制御部１０１は、該申込要求を管理サーバ２に送信する。
【００６２】
そして、該申込要求を受信した管理サーバ２の制御部２０１は、受信した申込要求に含まれる利用者ＩＤ及びプログラムＩＤに対応付けて健康促進プログラム登録テーブル（図３（ｃ）参照）に記憶されている登録状態を「案内中」から「登録中」に変更するプログラム登録処理を実施する。
【００６３】
そして、管理サーバ２の制御部２０１は、申し込み受付け処理にて受付けた申込要求に含まれるプログラムＩＤに対応付けて健康促進プログラムテーブル（図３（ａ）参照）に記憶されているファイル名を特定するアプリケーションプログラム特定処理を実施する。尚、ファイル名が登録されていない場合は、ファイル名は特定されないようになっている。
【００６４】
すなわち、ファイル名は、本発明のアプリケーション特定情報に該当する。また、アプリケーションプログラム特定処理は、本発明のアプリケーションプログラム特定処理に該当するとともに、本発明のアプリケーションプログラム特定ステップに該当する。
【００６５】
次いで管理サーバ２の制御部２０１は、アプリケーションプログラム特定処理にてファイル名が特定された場合は、該ファイル名を含み申し込みが成功した旨を示す申込結果をサイトサーバ１に送信する。また、ファイル名が特定されない場合は、申し込みが成功した旨を示す申込結果をサイトサーバ１に送信する。
【００６６】
この申込結果を受信したサイトサーバ１の制御部１０１は、申込結果がファイル名を含む場合にはファイル名にて特定されるプログラムファイルをダウンロードさせるための「ダウンロード」リンクを含む申込後ページ（図４（ｅ）参照）を生成し、携帯電話５に送信する。
【００６７】
利用者が携帯電話５に表示された申込後ページ（図４（ｅ）参照）にて「ダウンロード」を選択入力すると、ファイル名を含むファイル要求がサイトサーバ１に送信される。
【００６８】
ファイル要求を受信したサイトサーバ１の制御部１０１は、ファイル要求に含まれるファイル名から特定される健康促進アプリを、申し込み要求受付処理にて受付けた申込要求に含まれる利用者ＩＤから特定される利用者の携帯電話５に配信するためのアプリケーションプログラム配信処理を実施する。すなわち、アプリケーションプログラム配信処理は、本発明のアプリケーションプログラム配信処理に該当するとともに、本発明のアプリケーションプログラム配信ステップに該当する。
【００６９】
このようにして健康促進アプリを受信した携帯電話５においては、利用者は、利用者の操作に基づいて、配信された健康促進アプリを図示しないメモリ領域に対して記憶できるとともに、メモリ領域に記憶された健康促進アプリの削除や実行も可能とされている。
【００７０】
次いで、本実施例の提供装置が、上述の手続きにより健康促進プログラムに申し込みを行った利用者に対して、該申し込んだ健康促進プログラムの実行促進を行う流れを説明していく。
【００７１】
本実施例の健康促進プログラムにおいては、健康促進プログラムテーブル（図３参照）に示すように、働きかけ間隔が各々個別に予め定められており、管理サーバ２の制御部２０１は、これら働きかけ間隔に基づいて、申し込んだ健康促進プログラムの実行促進を利用者に働きかけるようになっている。
【００７２】
具体的には、まず、管理サーバ２の制御部２０１は、健康促進プログラム登録テーブル（図３（ｃ）参照）に基づいて、利用者の利用者ＩＤと、当該利用者が申し込んだ健康促進プログラムのプログラムＩＤを抽出する。
【００７３】
管理サーバ２の制御部２０１は、これら抽出した利用者ＩＤとプログラムＩＤに基づいて、健康促進プログラムテーブル（図３（ａ）参照）の働きかけ間隔を参照するとともに、健康促進プログラム登録テーブル（図３（ｃ）参照）の前回働きかけ日時を参照し、前回働きかけ日時から働きかけ間隔に該当する時間が経過したか否か、例えば、「毎日」なら２４時間、「毎週」なら１６８時間が経過したか否かを判定する。
【００７４】
働きかけ間隔に該当する時間が経過したと判定した管理サーバ２の制御部２０１は、申し込み要求受付処理にて受付けた申込要求（図５参照）に含まれる利用者ＩＤに対応付けて利用者データベース（図２（ａ）参照）に記憶されている電子メールアドレスに対して、該受付けた申込要求に含まれるプログラムＩＤに対応付けて健康促進プログラムデータベース（図３（ａ）参照）に記憶されている促進用文面に基づいて作成された電子メール（図４（ｆ）参照）を、働きかけ間隔ごとに送信する実行促進情報送付処理を実施する。すなわち、実行促進情報送付処理は、本発明の実行促進情報送付処理に該当するとともに、本発明の実行促進情報送信ステップに該当する。
【００７５】
例えば、図３（ａ）に示すように、プログラムＩＤが「Ｐ００００１」であり、名称が「高血圧」であり、働きかけ間隔が「毎日」である健康促進プログラムにおいては、前回働きかけ日時から２４時間が経過したときに、図４（ｆ）に示すような電子メール（促進メール）を送信することで、利用者に高血圧用の健康促進プログラムの実施を働きかけるようになっている。
【００７６】
そして、図４（ｆ）に示す促進メールを携帯電話５にて受信した利用者が、「アプリケーション起動」を選択入力すると、図４（ｅ）に示す申込後ページにて「ダウンロード」を選択入力することにより携帯電話５にダウンロードされて、図示しないメモリ領域に記憶されていた高血圧用の健康促進アプリが、携帯電話５にて起動されて、図４（ｇ）に示す高血圧用の健康促進アプリのメイン画面が表示される。
【００７７】
尚、本実施例においては、図４（ｆ）に示す促進メールにおいて「アプリケーション起動」を選択入力されると、携帯電話５の図示しない制御部は、図示しない携帯電話５のメモリ領域に記憶されていた健康促進アプリが起動されるようになっているが、本発明はこれに限定されるものではなく、「アプリケーション起動」を選択入力されると、携帯電話５の図示しない制御部は、図示しない携帯電話５のメモリ領域に健康促進アプリが記憶されているか否かを判定し、記憶されている場合には、記憶されている健康促進アプリを起動し、記憶されていない場合には、提供装置にファイル要求を送信して、健康促進アプリを受信するとともに、該受信した健康促進アプリを起動するようにしてもよい。
【００７８】
高血圧用プログラムを実行している携帯電話５の図示しない制御部は、高血圧用の健康促進アプリのメイン画面（図４（ｇ）参照）において、高血圧に効果があるとされる特定のリズムで呼吸を行わせるためのエクササイズを利用者が行えるように、利用者に対して音楽を出力したり、音楽に合わせて文字の点滅をさせたりする処理を行う。
【００７９】
そして、エクササイズの終了後に携帯電話５の図示しない制御部は、図４（ｈ）に示す高血圧用の健康促進アプリの血圧入力画面を表示することで、エクササイズ後の血圧の検査値を利用者から受付けられるようになっている。
【００８０】
利用者から血圧の検査値の入力を受付けた携帯電話５は、当該利用者の利用者ＩＤ（例えば、「００００００００１」）と、利用者の血圧の検査値を特定可能な情報（例えば、項目名「血圧」、項目値「１３０」、「１８９」）とを含む検査データ登録要求を、サイトサーバ１を介して管理サーバ２に送信する。
【００８１】
そして、管理サーバ２の制御部２０１は、利用者の利用者ＩＤと、当該利用者の血圧の検査値を特定可能な情報とを含む検査データ登録要求を受信する検査データ受付け処理を実施する。
【００８２】
また、検査データを特定可能な情報を受付けた管理サーバ２の制御部２０１は、該受付けた検査データを特定可能な情報（例えば、項目名「血圧」、項目値「１３０」、「１８９」）から特定される検査データ（例えば、項目名「血圧（下）」、項目値「１３０」、項目名「血圧（上）」、項目値「１８９」）を、現在の日付とともに検査履歴テーブル（図２（ｃ）参照）に登録する検査データ登録処理を実施する。
【００８３】
以上、本実施例によれば、利用者が、診療履歴テーブル（図２（ｂ）参照）及び／または検査履歴テーブル（図２（ｃ）参照）を含むテーブルに記憶されている自分の健康状態に合った健康促進プログラムの情報を、案内用文面に基づき作成された電子メール（図４（ａ）参照）に基づいて容易に知ることができるとともに、提供側にとっては、健康促進プログラムを必要としている利用者に健康促進プログラムの情報を効率的に案内（提案）することができる。
【００８４】
また、本実施例によれば、利用者が、送信された案内用文面に基づき作成された電子メール（図４（ａ）参照）に含まれるサイトアドレスにアクセスすることで、申込用文面に基づき作成された文章を含む申込ページ（図４（ｄ）参照）を容易に確認できるとともに、提供側にとっては、電子メールにて迅速に、かつ、低コストで健康促進プログラムの申し込み情報を案内（提案）することができる。
【００８５】
また、本実施例によれば、利用者が、送信された案内用文面に基づき作成された電子メール（図４（ａ）参照）に含まれる健康促進プログラムへの申し込みを簡便に実施できるとともに、申し込んだ健康促進プログラムの実行を該健康促進プログラムに対応した所定期間（働きかけ間隔）ごとに促してくれるようになるので、健康促進プログラムの実行忘れを極力防止できる一方、提供側にとっては、申し込まれた健康促進プログラムの実行を該健康促進プログラムに対応した所定期間（働きかけ間隔）ごとに促すことで、利用者の健康増進の意欲が減退することも抑制できる。
【００８６】
また、本実施例によれば、申し込んだ健康促進プログラムを実行するための健康促進アプリを容易に取得でき、例えばこれら取得した健康促進アプリを記憶しておくことで、健康促進プログラムを実行しようとする毎に健康促進アプリを取得する必要もなく、利用者の利便性を向上できる。
【００８７】
また、本実施例によれば、提供側にとっては、健康促進アプリの実行による利用者の健康状態の推移が提供装置に記憶されることで、提供者側は、利用者の健康状態の推移状況を把握することができる。
【００８８】
また、本実施例によれば、利用者が、診療履歴テーブル（図２（ｂ）参照）及び／または検査履歴テーブル（図２（ｃ）参照）を含む健康状態データベースに記憶されている自分の健康状態に合った健康促進プログラムの情報を、送信される案内用文面に基づき作成された電子メール（図４（ａ）参照）に基づいて容易に知ることができるとともに、提供側にとっては、健康促進プログラムを必要としている利用者に健康促進プログラムの情報を効率的に案内（提案）することができるばかりか、電子メールにて迅速に、かつ、低コストで健康促進プログラムの情報を案内（提案）することができる。
【００８９】
また、本実施例によれば、利用者が、送信された案内用文面に基づき作成された電子メール（図４（ａ）参照）に含まれるサイトアドレスにアクセスすることで、健康促進プログラムの申し込み情報（申込用文面に基づき作成された文章を含む申込ページ、図４（ｄ）参照）を容易に確認できる。
【００９０】
また、本実施例によれば、利用者が、送信された案内用文面に基づき作成された電子メール（図４（ａ）参照）に含まれる健康促進プログラムへの申し込みを簡便に実施できるとともに、申し込んだ健康促進プログラムの実行を該健康促進プログラムに対応した所定期間（働きかけ間隔）ごとに促してくれるようになるので、健康促進プログラムの実行忘れを極力防止できる一方、提供側にとっては、申し込まれた健康促進プログラムの実行を該健康促進プログラムに対応した所定期間（働きかけ間隔）ごとに促すことで、利用者の健康増進の意欲が減退することも抑制できる。
【００９１】
また、本実施例によれば、申し込んだ健康促進プログラムを実行するための健康促進アプリを容易に取得でき、例えばこれら取得した健康促進アプリを記憶しておくことで、健康促進プログラムを実行しようとする毎に健康促進アプリを取得する必要もなく、利用者の利便性を向上できる。
【００９２】
また、本実施例によれば、提供側にとっては、健康促進アプリの実行による利用者の健康状態の推移が提供装置に記憶されることで、提供者側は、利用者の健康状態の推移状況を把握することができる。
【００９３】
以上、本発明の実施例を図面により説明してきたが、具体的な構成はこれら実施例に限られるものではなく、本発明の要旨を逸脱しない範囲における変更や追加があっても本発明に含まれる。
【００９４】
例えば、前記実施例では、インターネット網４を介して接続された携帯電話５とデータ送受を行うための通信部１０３を備え、利用者データベースに記憶されている送付先情報は利用者の電子メールアドレスであり、案内情報送付処理においては、該電子メールアドレスに対して、申込用文面に基づき作成された文章を含む申込ページ（図４（ｄ）参照）のサイトアドレスを含む案内用文面に基づき作成された電子メール（図４（ａ）参照）を送信する構成としているが、本発明はこれに限定されるものではなく、提供装置がインターネット網４に接続されていない場合にも、案内情報送付処理においては、利用者データベース（図２（ａ）参照）に記憶されている住所や電話番号を送付先情報として適用し、自分の健康状態に合った健康促進プログラムの情報を例えば郵便により送付することで、利用者が、自分の健康状態に合った健康促進プログラムの情報を容易に知ることができるとともに、提供側にとっては、健康促進プログラムを必要としている利用者に健康促進プログラムの情報を効率的に案内（提案）することができる。
【００９５】
また、前記実施例では、健康促進アプリの利用者の携帯電話５への配信においては、まず、利用者の電子メールアドレスに対して、申込ページ（図４（ｄ）参照）のサイトアドレスを含む案内用電子メール（図４（ａ）参照）を送信し、次に、該サイトアドレスにより申込ページ（図４（ｄ）参照）にアクセスしてきた利用者から利用者ＩＤとプログラムＩＤとを含む申し込み要求を受付け、そして、該受付けた申し込み要求に含まれるプログラムＩＤの健康促進アプリのファイル名を特定し、該ファイル名から特定される健康促進アプリを利用者の携帯電話５に配信する構成としているが、健康促進アプリは、実行促進情報送付処理により働きかけ間隔ごとに利用者の携帯電話５に送信される促進メール（図４（ｆ）参照）において、該促進メールに含まれる「アプリケーション起動」が利用者に選択入力されたときに、携帯電話５において実行可能であれば良く、例えば、携帯電話５により「アプリケーション起動」が利用者に選択入力された旨を提供装置に通知させ、該通知に基づいて提供装置が携帯電話５に健康促進アプリを配信しても良い。
【００９６】
また、前記実施例では、健康促進アプリの利用者の携帯電話５への配信においては、申込ページ（図４（ｄ）参照）にアクセスするためのサイトアドレスを含む案内用電子メール（図４（ａ）参照）を送信することにより、利用者がサイトアドレスを入力することなく申し込みができて好ましいが、本発明はこれに限定されるものではなく、利用者が、携帯電話５に対してサイトアドレスを直接入力して申込ページ（図４（ｄ）参照）にアクセスすれば、案内用電子メール（図４（ａ）参照）を送信しなくとも、また、案内用電子メール（図４（ａ）参照）がサイトアドレスを含まなくとも、利用者は、健康促進プログラムへの申し込みができるとともに、携帯電話５に健康促進アプリを配信させることができる。
【００９７】
また、前記実施例では、健康促進アプリの利用者の携帯電話５への配信においては、申込ページ（図４（ｄ）参照）にアクセスしてきた利用者から健康促進プログラムを特定可能な情報としてのプログラムＩＤを直接受付けているが、本発明はこれに限定されるものではなく、これらの健康促進プログラムを特定可能な情報は健康促進プログラムの名称等であっても良い。
【００９８】
また、前記実施例では、健康促進アプリの実行に基づいて、携帯電話５の利用者から、利用者ＩＤと、検査データとを受付ける検査データ受付け処理と、該受付けた利用者ＩＤに対応付けて、該受付けた検査データを検査履歴テーブル（図２（ｃ）参照）に現在の日付とともに登録する検査データ登録処理と、を行う構成としているが、本発明はこれに限定されるものではなく、これら検査データを利用者が健康保険組合の従業員に例えば郵送や電話等で送信することにより、従業員が検査データを受付けて登録を行う構成としても良い。
【００９９】
また、前記実施例では、提供装置を複数のサーバから構成しているが、本発明はこれに限定されるものではなく、これらを１つのものとしても良い。
【０１００】
また、前記実施例では、オープンコンピュータネットワークに接続した例を示したが、本発明の請求項１〜請求項５はこれに限定されるものではなく、提供装置を大規模企業のＷＡＮ上に設けて、該大規模企業の社員に対してのみ健康促進プログラムの提供サービスを提供するようにしても良い。
【０１０１】
また、前記実施例では、利用者としての健康保険組合の加入者を対象としているが、本発明はこれに限定されるものではなく、これら利用者は特に限定されるものではなく、例えば、企業が福利厚生の一環として、当該企業の社員を利用者として、本発明における健康促進プログラムを、企業の福利厚生として導入されているカフェテリアプラン（選択型福利厚生制度）において利用される健康プログラムや健康トレーニングプランとして用いるようにしても良い。
【０１０２】
また、前記実施例では、健康促進プログラムの例として高血圧や高コレステロールの健康促進プログラムを例示しているが、本発明はこれに限定されるものではなく、これら健康促進プログラムは、対象とする症状に応じた適宜な健康促進プログラムを設ければ良い。
【０１０３】
また、前記実施例では、ファイアウォール３を設けることで外部からの侵入が困難としてセキュリティを高めているが、本発明はこれに限定されるものではなく、これらセキュリティ性能を更に高めるために、管理サーバ２において記憶されている利用者の健康状態を示す個人情報等のデータを暗号化して記憶しておき、例え、ファイアウォール３を通過して外部から侵入されても、これら個人情報等のデータが盗用される危険性を低減できるようにしても良い。
【０１０４】
また、前記実施例では、健康促進プログラムを、健康状態がほぼ同一であれば同一の健康促進プログラムを提供するようになっているが、本発明はこれに限定されるものではなく、これら健康促進プログラムの種別や内容が多岐であれば、これら多岐の健康促進プログラムを利用者の健康状態に応じて適宜に組み合わせて、利用者に個別の健康促進プログラムとして当該利用者に提供するようにしても良い。
【図面の簡単な説明】
【０１０５】
【図１】本発明の実施例における健康促進プログラム提供装置の構成を示すブロック図である。
【図２】（ａ）は利用者テーブルを示す図であり、（ｂ）は診療履歴テーブルを示す図であり、（ｃ）検査履歴テーブルを示す図である。
【図３】（ａ）は健康促進プログラムテーブルを示す図であり、（ｂ）は健康促進プログラム特定テーブルを示す図であり、（ｃ）は健康促進プログラム登録テーブルを示す図である。
【図４】（ａ）は案内メールの一例を示す図であり、（ｂ）はトップページの一例を示す図であり、（ｃ）は選択ページの一例を示す図であり、（ｄ）は申込ページの一例を示す図であり、（ｅ）は申込後ページの一例を示す図であり、（ｆ）は促進メールの一例を示す図であり、（ｇ）は高血圧プログラムメイン画面の一例を示す図であり、（ｈ）は高血圧プログラム入力画面の一例を示す図である。
【図５】健康促進プログラム提供装置の処理の流れを示す図である。
【符号の説明】
【０１０６】
１                サイトサーバ
２                管理サーバ
３                ファイアウォール
４                インターネット網
５                携帯電話
１０１            制御部
１０２            記憶部
１０３            通信部
１０４            通信部
２０１            制御部
２０２            記憶部
２０３            通信部
２０４            入出力部
【図１】
2006215662.tif 000003
【図２】
2006215662.tif 000004
【図３】
2006215662.tif 000005
【図４】
2006215662.tif 000006
【図５】
2006215662.tif 000007